(57)【特許請求の範囲】
【請求項１】
複数の遊技機にそれぞれ並設されるとともに、紙幣の受け入れにより、当該遊技機に対する遊技媒体の貸し出し処理をおこなう貸出処理機と、当該貸出処理機と通信可能に接続される管理装置とを備えた遊技媒体貸出システムにおいて、
前記貸出処理機は、
前記紙幣を収納するとともに、収納紙幣を外部へ取り出し可能な開放状態に変更自在に構成される紙幣収納ユニットと、
前記紙幣収納ユニットを、収納紙幣を外部へ取り出し不可能な閉止状態にロックするロック機構部と、
前記管理装置によって解錠許可設定を受けている状態で、操作者が保持する無線式の遠隔操作装置から解錠指示信号が入力された場合に、前記ロック機構部の解錠を行う解錠制御手段と
を備え、
前記管理装置は、
前記複数の貸出処理機を操作者の目が届く範囲に設置された貸出処理機からなるグループに区分するグループ区分設定手段と、
前記グループ区分設定手段によるグループ区分に基づいて、前記貸出処理機に対する前記解錠許可設定を行う解錠許可設定手段と、
前記複数の貸出処理機のうち、いずれかの貸出処理機に前記解錠指示信号が入力されると、当該貸出処理機と同一のグループに設定される全ての貸出処理機の前記解錠制御手段に対して、解錠指令を与えるグループ解錠制御手段と
を備えたことを特徴とする遊技媒体貸出システム。
【請求項２】
前記紙幣収納ユニットは、
内部に収納される紙幣の有無を検知する紙幣有無検知手段
をさらに備え、
前記グループ解錠制御手段は、
前記複数の貸出処理機のうち、いずれかの貸出処理機に前記解錠指示信号が入力されると、当該貸出処理機と同一のグループに設定される全ての貸出処理機に代えて、当該貸出処理機と同一のグループに設定される貸出処理機の中で、前記紙幣有無検知手段により、紙幣収納ユニット内に紙幣が有ると判定される貸出処理機の解錠制御手段に対して、解錠指令を与えることを特徴とする請求項１に記載の遊技媒体貸出システム。
【請求項３】
前記管理装置は、
前記解錠許可設定手段により、前記貸出機に対して解錠許可信号を通知した任意のグループから通知される解錠時の解錠完了信号を取得することにより、該当する解錠の完了を判定する解錠完了判定手段
をさらに備えたことを特徴とする請求項１または２に記載の遊技媒体貸出システム。
【発明の詳細な説明】
【０００１】
【発明の属する技術分野】
本発明は、紙幣の受け入れにより、遊技機に対して遊技媒体を貸し出す遊技媒体貸出システムに関し、特に、任意に区分されたグループ単位毎の玉貸出処理機に備えたＢＶユニット部に対する解錠を一斉におこなうことができる遊技媒体貸出システムに関する。
【０００２】
【従来の技術】
現在、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。
【０００３】
この従来の遊技媒体貸出システムでは、遊技機に隣接した位置にプリペイドカードを挿入するカード処理ユニットが並設され、このカード処理ユニットおよびカード発行機はターミナルコントローラ（ＴＣ）などの管理装置に接続されている。そして、カード発行機によるカードの売上情報とカード処理ユニットによるカードの利用情報を収集することにより遊技店の総売上金額を管理するシステムが構築されている。
【０００４】
また、従来より、プリペイドカードなどのカード媒体を使用する遊技媒体貸出システムの他、紙幣の投入によって遊技機に対して遊技媒体を貸出す遊技媒体貸出システムも知られている。ここで、例えば、パチンコ機などの玉貸出処理機には、遊技客により投入された紙幣を収納する紙幣収納ユニットが備えられており、通常、この紙幣収納ユニットは、鍵を使用したロック機構により施錠されている。このため、遊技店の閉店時などには、店員による解錠により紙幣収納ユニット内に収納されている紙幣の回収をおこなうものとなる。ところが、従来の鍵による施錠方式の場合には、紙幣の回収時に各玉貸出処理機の鍵をその都度、解錠する必要があるため、紙幣の回収作業に手間（時間）がかかり作業効率の面で問題があった。
【０００５】
上述した問題を解決すべく、従来技術として、複数のパチンコ機が配設された島の端部に玉貸出処理機の解錠をおこなう解錠操作装置を設け、この解錠操作装置により、複数の玉貸出処理機に対する解錠を一斉におこなう技術が開示されている（例えば、特許文献１参照）。
【０００６】
【特許文献１】
特開２００２−３３６４１８号公報
【０００７】
【発明が解決しようとする課題】
ところが、上述した従来の玉貸出処理機における解錠方法の場合には、以下のような問題点がある。すなわち、従来公報に記載された技術によると、解錠操作装置による操作により、複数台の玉貸出処理機に対する解錠を一斉におこなうことができるため、従来のように、鍵による施錠は必要としないが、その反面、多過ぎる玉貸出処理機の紙幣収納ユニットが解錠されてしまうと、操作者の目の隅々まで行き届かずに、第三者に紙幣を抜き取られる恐れが生じるという問題がある。
【０００８】
また、上記パチンコ遊技による従来技術の他、パチスロ機においては、メダル貸出機内の紙幣収納ユニットに紙幣が収納されていることを表示部に表示し、この表示に基づいて紙幣の回収をおこなう技術も知られている。ところが、この場合には、紙幣の収納有り表示をその都度確認しながら、鍵を使用し、個別に解錠作業をおこなう必要があるため、回収作業に手間がかかるうえ、やはり作業効率が悪いという問題がある。
【０００９】
この発明は、上記従来技術による課題を解決するためになされたものであり、予め設定した任意のグループに対して解錠許可を通知するとともに、リモコンなどによる簡易な操作によって紙幣回収作業効率を向上でき、且つ第三者による紙幣の抜き取りの発生を低減できる遊技媒体貸出システムを提供することを目的とする。
【００１０】
【課題を解決するための手段】
本発明は、上記目的を達成するためになされたものであり、複数の遊技機に並設されるとともに、紙幣の受け入れにより、当該遊技機に対する遊技媒体の貸し出し処理をおこなう貸出処理機を含む遊技媒体貸出システムにおいて、前記貸出処理機は、前記紙幣を収納するとともに、収納紙幣を外部に取り出し可能な開放状態に変更自在に構成される紙幣収納ユニットと、前記紙幣収納ユニットを、収納紙幣を外部へ取り出し不可能な閉止状態にロックするロック機構部と、外部より入力される解錠指示信号に対応して、前記ロック機構部の解錠をおこなう解錠制御手段とを備えるとともに、前記複数の貸出処理機を任意のグループに区分するグループ区分設定手段と、いずれかの貸出処理機に解錠指示信号が入力されると、当該貸出処理機と同一のグループに設定される全ての貸出処理機の解錠制御手段に対して解錠指令を与えるグループ解錠制御手段と、を備えることを特徴とする。
【００１１】
また、本発明は、複数の遊技機に並設されるとともに、紙幣の受け入れにより、当該遊技機に対する遊技媒体の貸し出し処理をおこなう貸出処理機と、当該貸出処理機と通信可能に接続される管理装置とを備えた遊技媒体貸出システムにおいて、前記管理装置は、前記複数の貸出処理機を任意のグループに区分するグループ区分設定手段と、前記グループ区分設定手段によるグループ区分に基づいて、前記貸出処理機に対する解錠許可を設定する解錠許可設定手段とを備え、前記貸出処理機は、前記紙幣を収納するとともに、収納紙幣を外部へ取り出し可能な開放状態に変更自在に構成される紙幣収納ユニットと、前記紙幣収納ユニットを、収納紙幣を外部へ取り出し不可能な閉止状態にロックするロック機構部と、前記管理装置によって解錠許可設定を受けていることを条件に、外部より入力される解錠指示信号に対応して、前記ロック機構部の解錠をおこなう解錠制御手段と、を備えることを特徴とする。
【００１２】
また、本発明は、前記複数の貸出処理機のうち、いずれかの貸出処理機に解錠指示信号が入力されると、当該貸出処理機と同一のグループに設定される全ての貸出処理機の解錠制御手段に対して、解錠指令を与えるグループ解錠制御手段を備えることを特徴とする。
【００１３】
また、本発明は、前記貸出処理機に対して、前記解錠指示信号を出力する無線式の遠隔操作装置を備えることを特徴とする。
【００１４】
また、本発明は、前記紙幣収納ユニットは、内部に収納される紙幣の有無を検知する紙幣有無検知手段を備え、前記グループ解錠制御手段は、前記複数の貸出処理機のうち、いずれかの貸出処理機に解錠指示信号が入力されると、当該貸出処理機と同一のグループに設定される貸出処理機の中で、前記紙幣有無検知手段により、紙幣収納ユニット内に紙幣が有ると判定される貸出処理機の解錠制御手段に対して、解錠指令を与えることを特徴とする。
【００１５】
また、本発明は、前記管理装置は、前記解錠許可設定手段により、前記貸出機に対して解錠許可信号を通知した任意のグループから通知される解錠時の解錠完了信号を取得することにより、該当する解錠の完了を判定する解錠完了判定手段をさらに備えることを特徴とする。
【００１６】
また、本発明は、前記グループ区分設定手段によるグループ区分は、遊技店内で互いに近接する遊技機を対象としておこなわれるとともに、当該遊技機の台番号に基づいておこなわれることを特徴とする。
【００１７】
また、本発明は、前記グループ区分設定手段によるグループ区分は、遊技機の機種に基づいて設定されることを特徴とする。
【００１８】
また、本発明は、前記グループ区分設定手段によるグループ区分は、貸出処理機の売上情報に基づいて設定されることを特徴とする。
【００１９】
【発明の実施の形態】
以下に添付図面を参照して、この発明に係る遊技媒体貸出システムの好適な実施の形態を詳細に説明する。なお、以下に示す実施の形態では、本発明に係る遊技媒体貸出システムをパチンコ遊技に適用した場合を示すこととする。ここで、本実施の形態の特徴は、管理サーバ２００（請求項の管理装置に対応）により、予め一斉に解錠をおこなう複数の玉貸出処理機２０（請求項の貸出処理機に対応）を任意の１グループとして設定するとともに、リモコンによる操作（解錠指示）により、管理サーバ２００により紙幣の回収が設定（解錠許可）された各玉貸出処理機２０に対する解錠をおこなうことにある。
【００２０】
以下、本実施の形態に係る遊技媒体貸出システムの概要を説明する。図１は、本発明の実施の形態に係る遊技媒体貸出システムの概要を示す説明図である。図２は、本発明の実施の形態に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００２１】
すなわち、図１、２に示すように、この遊技媒体貸出システムでは、それぞれ「島」と呼ばれるグループごとに複数の遊技機（以下、『パチンコ機』と称する）が並設されるとともに、これらパチンコ機１０にはそれぞれ１台ずつペアとなるように遊技媒体貸出処理機（以下、『玉貸出処理機』と称する）がパチンコ機１０の相互間に挟まれるように据置されており、遊技客により各玉貸出処理機２０に投入された紙幣（現金）による入金情報は売上情報として、中継器３００を介して接続された管理サーバ２００に対して送信され、この管理サーバ２００により各玉貸出処理機２０の売上情報（金額）が個別に管理されている。ここで、本例による入金情報は１０００円単位の現金情報としている。
【００２２】
さらに、この管理サーバ２００は、第三者機関によって管理される中央管理装置１００に接続され、管理サーバ２００により集計された各玉貸出処理機２０の売上情報は、中央管理装置１００に対して送信される。以上のように、中央管理装置１００により複数の遊技店（遊技店Ａ、Ｂ、Ｃ・・）の総売上金額を統括的に管理する遊技媒体貸出システムが構築されている。
【００２３】
このため、玉貸出処理機２０および枠体３０のそれぞれには、予め個別の識別ＩＤ（玉貸出処理機２０の識別ＩＤ、枠体３０の枠体識別ＩＤ）が付与されており、これら２つの識別ＩＤは、遊技店の開店時（玉貸出処理機２０の電源ＯＮ時）、この玉貸出処理機２０から管理サーバ２００に対して通信により通知され、管理サーバ２００内に設けられた管理サーバデータベース２１０内に自動的に登録され、以降、各玉貸出処理機２０は、遊技客により投入された紙幣による入金毎に管理サーバ２００に対して入金額（売上金額）をリアルタイムに通知するものとなる。
【００２４】
一方、管理サーバ２００では、玉貸出処理機２０からの通信情報（売上金額）を受信し、玉貸出処理機２０の識別ＩＤに関連付けて、更新および集計をおこなう。なお、遊技店内には遊技機１０および玉貸出処理機２０に接続されたホールコンピュータ（図示せず）が備えられており、このホールコンピュータにより賞球、出球率など遊技情報に基づいて遊技店内の総売上を管理するものとしている。
【００２５】
以下、本実施の形態における構成要素の詳細を説明する。すなわち、本実施の形態における玉貸出処理機２０は、遊技客により投入された紙幣（１０００円札の現金）により所定数の遊技玉を貸し出すように遊技機１０へ指示を与える機能とともに、この紙幣投入時の入金情報をメモリ２７内（図８）に一時記憶し、この入金情報を売上情報としてリアルタイムで管理サーバ２００に通知する機能を備えている。
【００２６】
このため、各玉貸出処理機２０と管理サーバ２００とは中継器３００を介して通信自在に構成されている。前述したように、本例では玉貸出処理機２０に投入する紙幣としては、１０００円紙幣を対象としている。
【００２７】
中継器３００（ＨＵＢ）は、各「島」内に１基づつ据置されており、各「島」内のネットワークケーブルを束ねる集線装置（コンセントレータ）としての機能を備えている。本システムでは、それぞれの中継器３００は、シリアル接続（ディジーチェーン）により構成されている。
【００２８】
図３に示すように、管理サーバ２００は、管理サーバデータベース２１０、制御部２１５、表示部２１６、通信Ｉ／Ｆ２２０とを備えている。この管理サーバ２００は、各貸出機２０に投入された紙幣による入金情報を個別の売上情報として取得する機能を備えている。
【００２９】
具体的には、各玉貸出処理機２０の識別ＩＤに基づいて、個々の玉貸出処理機２０毎に投入された紙幣による入金情報を売上情報として集計し管理する機能を備えている。玉貸出処理機２０による売上情報は、リアルタイムで管理サーバ２００に送信され、管理サーバ２００内に備えた管理サーバデータベース２１０に格納されるものとなる。
【００３０】
入力部２１７は、管理サーバ２００により制御（指示）される各種の設定を入力する入力手段であり、キーボード（テンキー）、マウス、トラックボールなどにより構成される。この管理サーバ２００による入力部２１７の操作は、遊技店を管理する管理責任者（店長、経営者など）によりおこなわれる。
【００３１】
表示部２１６は、管理サーバ２００の操作をおこなう管理責任者に対して、メニュー画面４００（図１６）を表示として出力する出力手段であり、モニタなどにより構成される。本例において、この表示部２１６は、紙幣回収指示設定をおこなう設定画面として機能する。グループ区分設定部２３０は、複数のパチンコ機１０（玉貸出処理機２０）を任意のグループ毎に区分する機能を備えている。解錠許可設定部２３１は、グループ区分設定部２３０によりグループ分けされたグループのいずれかに対して解錠許可をおこなう機能を備えている。解錠完了判定部２３２は、解錠がなされたグループから通知される解錠完了信号を受信することにより解錠の完了を判定する機能を備えている。
【００３２】
通信Ｉ／Ｆ２２０は、玉貸出処理機２０の通信Ｉ／Ｆ２６（図８）および中継器３００を介して各玉貸出処理機２０による売上情報を通信により受信する機能および中央管理装置１００の通信Ｉ／Ｆ１３０（図４）を介して管理サーバ２００により集計された各玉貸出処理機２０の売上情報を送信する機能を備えている。なお。この管理サーバ２００は、遊技店内に配置されているが中央管理装置１００を管理する第三者機関により設置される。
【００３３】
図４に示すように、中央管理装置１００は、中央管理制御部１１０、表示部１１５、通信Ｉ／Ｆ１３０、遊技店管理データベース１２０とを備えている。この中央管理装置１００は、各遊技店（遊技店Ａ、Ｂ、Ｃ・・）に配置された管理サーバ２００との間で相互に通信をおこなうことにより、主として、管理サーバ２００が取得した玉貸出処理機２０の売上情報に基づいて、各遊技店毎の総売上集計、各玉貸出処理機２０の管理などをおこなう機能を備えている。具体的には、管理サーバ２００から送信される各玉貸出処理機２０による売上情報が遊技店の総売上情報として、遊技店管理データベース１２０内に格納することができる。
【００３４】
次に、図５〜８を参照して玉貸出処理機２０およびパチンコ機１０における構成の詳細について説明する。図５は、図２に示した遊技媒体貸出システムで適用する玉貸出処理機２０およびパチンコ機１０の外観正面図、図６は、玉貸出処理機２０を示す側面図（枠体３０との連結状態）、図７は、枠体３０と玉貸出処理機２０との分離状態を示す図をそれぞれ示している。図８は、玉貸出処理機２０の概要構成を示す機能ブロック図である。
【００３５】
すなわち、図５に示すように、玉貸出処理機２０は、外見上縦長に構成したもので、貸出機本体部２１と、この本体部２１よりも前方（図６の右側）に向けて僅かに突出するように形成されたＢＶユニット部５０とを備えている。
【００３６】
後述するように、このＢＶユニット部５０は、リモコンによる解錠操作により本体部２１から自動的に取り出し可能に構成されている。また、玉貸出処理機２０の本体部２１の前面パネルには、表示ランプ部２２、表示部２３、リモコン用受光部２４とを備えている。
【００３７】
ここで、図６、７に示すように、この玉貸出処理機２０は遊技店内に取り付け固定された枠体３０に対して着脱自在となっており、具体的には、玉貸出処理機２０を枠体３０に対して連結させ玉貸出処理機２０および枠体３０の上下に位置するコネクタを相互に嵌め込むことにより、この玉貸出処理機２０をパチンコ機１０に隣接した位置に据置することができる。
【００３８】
表示ランプ部２２は、玉貸出処理機２０の稼働状態を３色（緑色、赤色、黄色）のランプにより報知する機能を備えている。具体的に説明すると、緑色ランプの点灯は、正常動作を、赤色ランプの点灯は、玉貸出処理機２０に何らかの異常が発生したとき、黄色ランプの点灯は、通信経路の断線で状態をあらわすオフライン状態をそれぞれ示している。
【００３９】
表示部２３は、玉貸出処理機２０のエラー状態をエラーコードなどで表示する機能を備えている。リモコン用受光部２４は、リモコンから送信された送信信号に基づいて、玉貸出処理機２０のエラー状態をリセットするエラーリセット信号、解錠指示信号を受信する機能を備えている。後述するように、リモコンによる解錠許可信号を受信した際には、ＢＶユニット部５０におけるＢＶロック機構部５３によるロック（施錠）が解錠されるものとなる。
【００４０】
制御部２５は、玉貸出処理機２０における各処理を一括してコントロールする制御機能を備えており、制御部２５内の処理を実現するにあたって必要なプログラムおよびデータは、記憶部（図示せず）内に格納されており、制御部２５は、必要に応じてこれらを読み出すことにより各処理を実行する。玉貸制御部７０は、パチンコ機１０に対して貸し玉の投出を指示する機能とを備えている。
【００４１】
通信Ｉ／Ｆ２６（インターフェース）は、中継器３００を介して管理サーバ２００に対して各玉貸出処理機２０による売上情報をリアルタイム通信により送信する機能を備えている。メモリ２７は、売上情報を記憶する機能を備えており、このメモリ２７の内部には、パチンコ機１０の遊技台番号に対応するとともに、玉貸出処理機２０の識別ＩＤおよび枠体３０の識別ＩＤに関連付けた入金情報を格納する売上情報記憶テーブル２８が設けられている。８０は、玉貸出処理機２０に対して、ＡＣ電源（１００Ｖ）による電圧を供給するための電源部である。
【００４２】
ＢＶユニット部５０は、紙幣投入口１５、紙幣収納部５１、紙幣識別部５２、を備えている。紙幣投入口１５は、紙幣（本例では、１０００円札）を受け入れて、この紙幣を紙幣収納部５１に取り込むための開口である。紙幣収納部５１は、遊技客により紙幣投入口１５から投入された紙幣を収納する機能を備えている。つまり、本例では、店員により紙幣収納部５１内に収納された紙幣を回収するようにしている。このため、本例では、投入された紙幣を島端へ搬送する紙幣搬送路および島端で紙幣を回収する紙幣回収ボックスが不要となる。
【００４３】
紙幣識別部５２は、遊技客により紙幣投入口１５から投入された紙幣に対する真偽や金額情報の判定（識別）および金額情報を記憶する紙幣処理機能を備えており、遊技客により投入された紙幣を受け入れて識別し、正常と判定される紙幣については、その識別結果および金額情報は制御部２５に通知される。一方、投入された紙幣が識別不能な紙幣については、紙幣投入口１５を通じて返却するものとなる。
【００４４】
ＢＶロック機構部５３は、ＢＶユニット部５０の施錠をおこなう機構を備えており、このＢＶロック機構部５３によるロック（施錠）の解錠は、遊技店の店員や管理者が所持するリモコンによる解錠指示操作によりおこなわれる。このＢＶロック機構部５３の概略については、後述する。
【００４５】
一方、枠体３０の上部位置には、ジョイント制御基板３１が設けられており、このジョイント基板３１は、玉貸出処理機２０を入れ替えた際および通信状態の断線時（オフライン時）の売上情報（データ）の保存用として機能するメモリ３３を備えている。このメモリ３３の内部には、パチンコ機１０の遊技台番号に対応するとともに、玉貸出処理機２０の識別ＩＤおよび枠体３０の識別ＩＤに関連付けた入金情報を格納する売上情報記憶テーブル３３が設けられている。
【００４６】
また、遊技機であるパチンコ機１０は遊技領域１１および下方に設けた上皿１２とにより構成され、その内部には玉投出機構部１３が設けてある。この玉投出機構部１３は、制御部２５から貸玉投出要求が与えられた場合、並びにパチンコ機１０による賞玉投出要求が与えられた場合に、それぞれパチンコ機１０の上皿１２に所定数のパチンコ玉を投出する部分である。
【００４７】
次に、図９、図１０を参照して、本実施の形態１におけるＢＶユニット部５０に対する解錠機構について説明する。図９は、リモコン操作によるＢＶユニット部の着脱状態を示す説明図を、図１０は、紙幣の回収時におこなわれるロック（施錠）の解錠動作を説明する玉貸出処理機２０の斜視図を示している。
【００４８】
すなわち、図９、１０に示すように、ＢＶロック機構部５３は、遊技店の管理者などが所持するリモコンによる操作（解錠指示信号の送信）に基づいて、ロック機構部５３によるロックが解錠する機構となっている。
【００４９】
具体的には、管理者が玉貸出処理機２０のリモコン用受信部２４に向けて、リモコンの解除キー（個別解錠キー、島解錠キー）を押下（ＯＮ）するとＢＶユニット部５０が玉貸出処理機２０の前方（図１０の矢印Ａ方向）に突出するとともに、紙幣収納部５１（図１０）が開口する機構となっている。これにより、紙幣収納部５１に収納された紙幣を回収するものとなる。
【００５０】
一方、ＢＶユニット部５０の装着（施錠）は、前方に突出した状態のＢＶユニット部５０を手で本体２１側（図１０の矢印Ｂ方向）に向けて、押し込むことにより、ＢＶロック機構部５３によるロック機構部５３を作動させることができる。後述するように、ロック機構部５３の作動は、ソレノイド６０に対する通電のＯＮ／ＯＦＦによりおこなう。以下、図１１（ａ）（ｂ）を参照して、ＢＶロック機構部５３の詳細を説明する。
【００５１】
すなわち、図１１（ａ）に示すように、ＢＶロック機構部５３は、ソレノイド６０、ロックレバー６１、アンカー板７５、押圧板ばね７１とから構成されている。また、ＢＶユニット部５０の上下位置には、スライドレール７４が設けられているため、このＢＶユニット部５０はスライドレール７４に沿って、装着方向および取り出し方向に平行移動することができる。
【００５２】
アンカー板７５の上端部には押圧板ばね７１の基端部が取り付けられ、この押圧板ばね７１の先端部は、紙幣収納部５１を構成する筐体（ケース）の後端部に当接されている。
【００５３】
このため、ＢＶユニット部５０は、押圧板ばね７１の弾力により、常時、ＢＶユニット部５０の取り出し方向（図１１のＡ方向）に向けて押圧されている。ロックレバー６１の先端部には、鉤部６２が形成されており、この鉤部６２は、アンカー板７１に形成された係合ピン７２と係合可能となっている。
【００５４】
また、引っ張りばね７３の一端（図１１の上側）は、アンカー板７１の上部に延出された取り付け部７１ａに、他端（図１１の下側）は、ロックレバー６１の基端部に取り付けられている。このため、ソレノイド６０のＯＦＦ時（非作動時）、ロックレバー６１は、引っ張りばね７３の弾力により支軸７８を支点として、時計方向に偏奇するため、この弾力によりロックレバー６１の鉤部６２とアンカー板７１の係合ピン６２とが係合し、これにより、ＢＶユニット部５０に対する施錠をおこなうことができる。なお、ソレノイド６０に対する通電のＯＮ／ＯＦＦは、ＢＶユニット制御部５６による通電制御によりおこなわれる。
【００５５】
一方、図１１（ｂ）に示すように、ソレノイド６０のＯＮ時（通電時）には、このソレノイド６０の作動（ＯＮ）にともなって、引っ張りばね７３の弾力に抗して、ロックレバー６１の鉤部６２とアンカー板７１の係合ピン７２との係合が外れる。これにより、ＢＶユニット部５０は、押圧板ばね７１の押圧力により、スライドレール７４に沿って、図１１（ｂ）の矢印Ａ方向に向けて、突出する。これにより、ＢＶユニット部５０に対する解錠をおこなうことができる。
【００５６】
前述したように、ＢＶユニット部５０に対する施錠は、このＢＶユニット部５０を手により、図１１（ｂ）の矢印Ｂ方向に向けて、押し込むことにより容易におこなうことができる。
【００５７】
以上のように、本例のロック機構部５３の場合には、リモコンによる操作で簡単に解錠をおこなうことができ、ロック（施錠）は手動により容易におこなうことができるため、従来のように店員が解錠用の鍵などを持ち歩く必要がなくなるうえ、紙幣収納部５１内の紙幣を島端へ搬送する紙幣搬送機構や島端で紙幣を回収する紙幣収納金庫などが不要となり、コスト削減およびセキュリティの面で有効である。
【００５８】
次に、本発明の遊技媒体貸出システムにおいて適用されるリモコンの概要について説明する。図１２（ａ）は、遊技店の管理者などが所持する管理者用のリモコン、図１２（ｂ）は、一般の係員（店員）が所持するリモコンをそれぞれ示す外観図である。
【００５９】
このリモコンは、内部にＩＣ回路、近赤外線を送出する発光ダイオードなどを備えた無線式の遠隔操作装置であり、図１２（ａ）に示す管理者用のリモコンの筐体を構成する前面パネル部には、エラーの発生時に、リセット処理をおこなうリセットキー、個別の玉貸出処理機２０の解錠を対象とする個別解除キー、遊技店の同一の島内に設けられた複数の玉貸出処理機２０の解錠を対象とする島解除キー、暗証番号などを入力するためテンキー（０〜９）などが設けられている。リモコンの先端部には、リセット信号、解錠指示信号などを送出するための発振部が設けられている。なお、図１２（ｂ）に示した店員用のリモコンは、主に玉貸出処理機２０に発生したエラー表示などのリセット処理をおこなう際に使用される。
【００６０】
ここで、本実施の形態では、管理サーバ２００により解錠許可が設定された状態にあるときにのみ、このリモコンによるＢＶユニット部５０の解錠操作が有効となる。具体的には、管理サーバ２００により設定された任意のグループに対して解錠許可が設定された状態であれば、このグループ内の玉貸出処理機２０のいずれかに向けて、リモコン操作をおこなうことにより、１グループ全ての玉貸出処理機２０に対するＢＶユニット部５０の解錠をおこなうことができる。
【００６１】
図１３は、本発明の遊技媒体貸出システムの基本制御手順を説明するフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）（５）閉店時設定工程（ステップＳＡ５００）の５つの処理工程により構成されている。先ず、これら（１）〜（５）の各制御工程についての概略を説明する。
【００６２】
（１）開店時設定工程
開店時設定工程は、管理サーバ２００により実行される遊技店における開店処理であり、第三者機関によって管理される中央管理装置１００および遊技店内の各玉貸出処理機２０に対して、開店通知を送信する処理工程である。
【００６３】
すなわち、前述したように玉貸出処理機２０および枠体３０には、予め個別の識別ＩＤ（玉貸出処理機の識別ＩＤ、枠体の枠体識別ＩＤ）が付与されており、これら２つの識別ＩＤは、玉貸出処理機２０の電源ＯＮ時、玉貸出処理機２０から管理サーバ２００に対して通知されるとともに、各玉貸出処理機２０の本体識別ＩＤ、枠体の枠体識別ＩＤは、管理サーバ２００内に設けられた管理サーバデーターベース２１０に自動的に登録される。以降、管理サーバ２００は、各玉貸出処理機２０から通知される売上情報を管理サーバデータベース２１０内に格納するとともに、紙幣の投入にともなっい売上情報の更新をおこなうものとなる。
【００６４】
（２）オンライン制御工程（通常時）
オンライン制御工程は、遊技客によって玉貸出処理機２０に対して現金（紙幣）が投入された際、この玉貸出処理機２０からパチンコ機１０に対して、玉を貸し出す玉貸し出し命令を通知するとともに、投入された紙幣による売上情報を玉貸出処理機２０の本体識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間毎におこなうようにしてもよい。
【００６５】
（３）紙幣回収工程
紙幣回収工程は、遊技店の管理者が所持するリモコンの操作により玉貸出処理機２０に備えたＢＶユニット部５０の解錠をおこない、このＢＶユニット部５０の紙幣収納部５１内に収納されている紙幣を回収する処理工程であり、遊技店の営業時間内および閉店時に適宜おこなうことができる。
【００６６】
（４）定期通信工程
定期通信工程は、遊技店の営業時間内において、管理サーバ２００と中央管理装置１００との間で実施される相互間の接続状態やエラーログなどを定期的に確認する処理工程である。
【００６７】
（５）閉店時設定工程
閉店時設定工程は、各玉貸出処理機２０から送信された売上情報を管理サーバ２００により集計し、集計データとして中央管理装置１００に対して送信する処理工程である。この際、管理サーバから閉店通知信号が中央管理装置１００および玉貸出処理機２０に対して送信される。
【００６８】
以下、図１４のフローチャートを参照して、本実施の形態１における全体制御処理手順を説明する。この図１４に示すフローチャートは、管理サーバ２００と玉貸出処理機２０との間でおこなわれる処理手順である。
【００６９】
すなわち、遊技客により玉貸出処理機２０の紙幣投入口１５に紙幣（１０００円札）が投入されると（ステップＳ１００）、ＢＶユニット部５０は、投入された紙幣の真偽を紙幣識別部５２により正常な紙幣か否かを判定する（ステップＳ１１０）。そして、ステップＳ１１０による判定により紙幣が不良紙幣と判定された場合には（ステップＳ１１０否定）、紙幣投入口１５を通じて不良紙幣の返却をおこなう（ステップＳ１１５）。
【００７０】
一方、投入された紙幣が正常な紙幣と判定された場合には（ステップＳ１１０肯定）、この紙幣を紙幣収納部５１内に収納するとともに、次の、ステップＳ１２０による玉貸出し処理に移行する（ステップＳ１２０）。具体的には、パチンコ機１０の玉投出機構部１３に対して、１０００円分の玉の貸し出しをおこなうように指示し、この玉投出機構部１３から貸玉が投出される。
【００７１】
これにより、パチンコ機１０の上皿１２には、１０００円分の玉の投出がおこなわれ、遊技客による遊技が可能となる。以下、玉貸出処理機２０では、遊技客により投入された入金情報を売上情報として、この売上情報をメモリ２７内の売上情報記憶テーブル２８内に格納する（ステップＳ１３０）。
【００７２】
図１５（ａ）は、玉貸出処理機２０のメモリ２７内および枠体３０のメモリ３２内に備えられた売上情報記憶テーブル２８（３３）の一例を示している。同図に示すように、売上情報記憶テーブル２８（３３）は、各遊技店を個別に識別する遊技店コード、玉貸出処理機本体を特定する本体識別ＩＤ、枠体を特定する枠体識別ＩＤ、遊技台の番号、売上金額、取引時に設定される取引識別ＩＤという６項目のフィールドが設けられている。
【００７３】
すなわち、図１５（ａ）は、台番号１００番のパチンコ機１０で遊技をおこなう遊技客が玉貸出処理機２０（本体識別ＩＤ：ＸＸＸＸ１、枠体識別ＩＤ：ＹＹＹＹ１）に１０００円投入したときの売上情報記憶テーブル２８および台番号１０１番のパチンコ機１０で遊技をおこなう遊技客が玉貸出処理機２０（本体識別ＩＤ：ＸＸＸＸ２、枠体識別ＩＤ：ＹＹＹＹ２）に１０００円投入したときの売上情報記憶テーブル２８を示している。そして、これら各フィールドには、遊技客が玉貸出処理機２０に紙幣を投入する都度、記憶データとして格納され、この売上情報記憶テーブル２８内の売上情報は識別ＩＤとともに、リアルタイムで管理サーバ２００に通知される。
【００７４】
図１４のフローチャートに戻り、玉貸出処理機２０では、通信Ｉ／Ｆ２６を通じて管理サーバ２００に対して識別ＩＤに対応付けた売上情報の通知をおこなう（ステップＳ１４０）。一方、管理サーバ２００では、玉貸出処理機２０による売上情報の通知を受信し（ステップＳ１５０）、この売上情報を管理サーバデータベース２１０内に格納する（ステップＳ１６０）。
【００７５】
次いで、同一の識別ＩＤがあるか否かの判定をおこない（ステップＳ１７０）、同一の識別ＩＤがある場合には（ステップＳ１７０肯定）、同一の識別ＩＤに関連付けて売上情報の更新をおこなう（ステップＳ１８０）。また、ステップＳ１７０の判定により、同一の識別ＩＤでない場合には、そのままステップＳ１９０の処理に移行する。
【００７６】
以下、ステップＳ１８０により更新および集計された売上情報は、管理サーバ２００から中継器３００を通じて中央管理装置１００に対して送信される（ステップＳ１９０）。中央管理装置１００では、管理サーバ２００から通知された各玉貸出処理機２０による売上情報に基づいて、遊技店の総売上情報の管理をおこなうものとなる。
【００７７】
図１５（ｂ）は、管理サーバ２００内に備えられた管理サーバデータベース２１０の一例を示している。同図に示すように、管理サーバデータベース２１０は、各遊技店を個別に識別する遊技店コード、取引時（紙幣投入時）の日付を示す取引日付、玉貸出処理機本体を特定する本体識別ＩＤ、枠体を特定する枠体識別ＩＤ、遊技台の番号、売上金額、取引時に設定される取引識別ＩＤという７項目のフィールドが設けられている。
【００７８】
この管理サーバデータベース２１０の各フィールドのうち売上金額は、玉貸出処理機２０から通知される識別ＩＤに関連付けられた売上情報に基づいて、照合がおこなわれるとともに、更新処理により更新された売上情報（金額）は、リアルタイム通信により中央管理装置１００に送信される。
【００７９】
次いで、管理サーバ２００により紙幣の回収指示があるか否かの判定をおこない（ステップＳ２００）、紙幣の回収指示がある場合には（ステップＳ２００肯定）、グループ別の区分設定（ステップＳ２１０）、解錠許可設定（ステップＳ２２０）を順次実行する。ここで、ステップＳ２００〜ステップＳ２２０による処理手順が紙幣回収指示工程となる。以下、この紙幣回収処理工程の詳細を図１６〜１８を参照して説明する。
【００８０】
ここで、以下の例では、管理サーバ２００による画面設定（ソフト設定）により、任意のパチンコ機１０の台番号に基づいて、グループ設定をおこなう例で説明する。すなわち、本発明の特徴は、管理サーバ２００により、予め一斉に解錠をおこなう複数の玉貸出処理機２０を任意の１グループとして設定するとともに、リモコンによる操作（解錠指示）により、管理サーバ２００により紙幣の回収が設定（解錠許可）された各玉貸出処理機２０に対する解錠（ＢＶユニット部５０を突出させる）をおこなうことに特徴がある。
【００８１】
このため、管理サーバ２００は、複数のパチンコ機１０（玉貸出処理機２０）を任意のグループ毎に区分するグループ区分設定機能（グループ区分設定部２３０）およびグループ区分設定機能によりグループ分けされたグループのいずれかに対して解錠許可をおこなうグループ別解錠許可設定機能（解錠許可設定部２３１）とを備えている（図３参照）。以下、図１６および図１７（ａ）、（ｂ）を参照してグループ区分設定処理およびグループ別の解錠許可設定処理の詳細を具体的に説明する。
【００８２】
すなわち、図１６に示すように管理サーバ２００による任意のグループに区分するグループ区分設定処理およびグループ別の解錠許可設定処理は、管理サーバ２００の表示部２１６（モニタ）に表示されるメニュー画面４００（管理サーバ／メインメニュー）による設定でおこなうことができる。そして、このメニュー画面４００（管理サーバ／メインメニュー）に表示される「紙幣回収グループ設定」を選択し（マウスによるクリック）、Enterキー５００を押下（ＯＮ）することにより、管理サーバ２００の表示部２１６（モニタ）に、図１７（ａ）、（ｂ）に示す紙幣回収グループ設定画面４１０を表示することができる。
【００８３】
すなわち、図１７（ａ）に示すように、紙幣回収グループ設定画面４１０は、遊技店内に設置された複数のパチンコ機１０の台番号が表示される台番号表示欄４２０および任意にグループを設定するグループ別設定欄４３０とを備えている。ここで、グループ別設定欄４３０には、任意のグループ番号（１〜９）を入力することができ、具体的には、このグループ別設定欄４３０に対して入力部２１７（図３）のキーボードによるテンキー操作により、所望の数値を入力するものとなる。
【００８４】
ここで、図１７（ｂ）の例では、パチンコ機１０の台番号、１００１番〜１００７番、１０１０番が、「１」グループ、１０１１番〜１０１７、１０２０番が、「２」グループ、１０２１番〜１０２７番、１０３０番が、「３」グループ、１０３１番〜１０３６番までが、「４」グループとしてそれぞれ設定されたことを示している。尚、一つのグループに設定される具体的な例としては、操作者が一連の動作で紙幣を回収できるとともに、操作者の目が届くように列設される数台程度のパチンコ機１０若しくは、玉貸出処理機２０をグループ設定することなどが挙げられる。
【００８５】
上述のように、グループ別設定欄４３０に対するグループ番号の入力後、次いで、Enterキー５００を押下（ＯＮ）することにより、図１８に示す、解錠許可グループ入力画面４４０に移行する。この解錠許可グループ入力画面４４０は、グループ番号設定欄４４５を備えており、以下、管理サーバ２００の管理者は、このグループ番号設定欄４４５に対して、解錠許可を指示するグループ番号を入力するものとなる。
【００８６】
本例では、図１８に示すグループ番号設定欄４４５にグループ番号「２」が入力された例を示しており、この入力によりグループ番号「２」に該当するパチンコ機１０（１０１１番〜１０１７番、１０２０番）に対応する玉貸出処理機２０（８台）を対象とする解錠許可の設定がおこなわれるものとなる。具体的には、グループ番号の入力後、Enterキー５００を押下（ＯＮ）することにより、管理サーバ２００から中継器３００を介して、該当する各玉貸出処理機２０に対して解錠許可信号が送信されるものとなる。
【００８７】
ここで、上述した実施の形態１では、グループの区分をパチンコ機１０の台番号に基づいて選定しているが、このグループ区分設定は、パチンコ機１０の機種（機種Ａ、機種Ｂ・・・）に基づいて設定することもできる。また、グループ区分設定は、取得された各玉貸出処理機２０の売上情報（金額）に基づいて、設定することもできる。この場合、例えば、売上金額が上位の玉貸出処理機２０から順にグループ番号（１〜９）を付与することにより、紙幣収納部５１内により多くの紙幣がある玉貸出処理機２０を選択することができるため、紙幣の回収を効率良くおこなうことが可能となる。
【００８８】
ここで、本例では、同一の番号に設定されたグループに対する解錠許可をおこなうことができる。具体的に説明すると、例えば、台番号が１０１１番に並設された玉貸出処理機２０にリモコンを向けて、解錠ボタンを押下（ＯＮ）すると、この台番号１０１１番に対応する玉貸出処理機１０だけてなく、台番号が１０１０番〜１０２０番に対応する玉貸出処理機２０の解錠を実行することができる。
【００８９】
図１４のフローチャートに戻り、前述したステップＳ２１０〜ステップＳ２２０の処理により、管理サーバ２００による解錠許可設定をおこない、次のステップＳ２３０により玉貸出処理機２０に対して解錠許可信号の送信をおこなう（ステップＳ２３０）。
【００９０】
一方、管理サーバ２００から解錠許可通知を受信した玉貸出処理機２０は、リモコン操作による解錠指示があるまで待機する。具体的にはリモコンによる解錠指示通知が有るか否かを判定し（ステップＳ２５０）、このステップＳ２５０の判定により、リモコンによる解錠指示通知がある場合（ステップＳ２５０肯定）、前記ステップＳ２２０により設定された玉貸出処理機２０（グループ番号：２）に対する解錠がおこなわれる（ステップＳ２６０）。具体的には、該当するグループ（複数の玉貸出処理機２０）に対して、リモコンが向けられて、解錠キーの押下（ＯＮ）がある場合に、解錠が実行される。本例では、パチンコ機１０（１０１１番〜１０１７、１０２０番）に対応する玉貸出処理機２０に対する解錠がおこなわれるものとなる。
【００９１】
この場合、パチンコ機１０（１０１１番〜１０１７、１０２０番）の玉貸出処理機２０に向けて、リモコン操作する必要はなく、例えば、パチンコ機１０（１０１１番〜１０１７、１０２０番）のうち、１０１１番に並設された玉貸出処理機２０の全てに向けて、個別解錠キーのＯＮ操作をするだけで、１０１１番以外の１０１２番〜１０１７番、１０２０番に並設された玉貸出処理機２０に対する解錠を実行することができる。
【００９２】
以下、次のステップＳ２７０により、正常に該当する玉貸出処理機２０の解錠が完了したか否かの判定をおこない（ステップＳ２７０）、正常に解錠が完了した場合には（ステップＳ２７０肯定）、該当する玉貸出処理機２０から管理サーバ２００に対して解錠完了通知が送信された後、全ての処理が終了となる（エンド）。
【００９３】
上述してきたように、本実施の形態１によれば、管理サーバ２００により、予め一斉に解錠をおこなう複数の玉貸出処理機２０を任意のグループとして設定するとともに、リモコンによる操作（解錠指示通知）により、管理サーバ２００により紙幣の回収が設定（解錠許可）された各玉貸出処理機２０に対する解錠をおこなうので、一斉解錠の対象となる複数の玉貸出処理機２０を任意のグループに分けて設定できることから、このグループ分けされた玉貸出処理機に対する一斉解錠を確実且つ容易におこなうことができる。また、リモコンによる玉貸出処理機２０の解錠は、管理サーバ２００による解錠許可通知の設定時のみ有効となるため、セキュリティの観点で効果が期待できる。
【００９４】
なお、上述した実施の形態では、本発明に係る遊技媒体貸出システムをパチンコ遊技に適用した場合を示しているが、本発明は、パチンコ遊技に限定することなくパチスロ機による遊技システムにも好適に適用することができる。
【００９５】
さらに、上述した実施の形態では、パチンコ機の内部から玉が投出される（所謂、ＣＲ機方式）について説明したが、本発明はこれに限定されるものではなく、玉貸出処理機からノズルを介して玉が投出される方式にも本発明は好適に適用することができる。また、上述した実施の形態に示されるような紙幣のみ受け付ける玉貸出処理機だけではなく、カード（プリペイドカード、会員カードなど）と紙幣の両方を受け付けることができ、少なくとも紙幣が機内に収納されるタイプのカード処理機にも適用することができる。
【００９６】
【発明の効果】
以上説明したように、本発明によれば、複数の遊技機に並設されるとともに、紙幣の受け入れにより、当該遊技機に対する遊技媒体の貸し出し処理をおこなう貸出処理機を含む遊技媒体貸出システムにおいて、前記貸出処理機は、前記紙幣を収納するとともに、収納紙幣を外部に取り出し可能な開放状態に変更自在に構成される紙幣収納ユニットと、前記紙幣収納ユニットを、収納紙幣を外部へ取り出し不可能な閉止状態にロックするロック機構部と、外部より入力される解錠指示信号に対応して、前記ロック機構部の解錠をおこなう解錠制御手段とを備えるとともに、前記複数の貸出処理機を任意のグループに区分するグループ区分設定手段と、いずれかの貸出処理機に解錠指示信号が入力されると、当該貸出処理機と同一のグループに設定される全ての貸出処理機の解錠制御手段に対して解錠指令を与えるグループ解錠制御手段と、を備えるので、島全体ではなく、所定の貸出処理機のみを設定して解錠をおこなえることからセキュリティ（安全性）の向上を図れるという効果を奏する。
【００９７】
また、本発明によれば、複数の遊技機に並設されるとともに、紙幣の受け入れにより、当該遊技機に対する遊技媒体の貸し出し処理をおこなう貸出処理機と、当該貸出処理機と通信可能に接続される管理装置とを備えた遊技媒体貸出システムにおいて、前記管理装置は、前記複数の貸出処理機を任意のグループに区分するグループ区分設定手段と、前記グループ区分設定手段によるグループ区分に基づいて、前記貸出処理機に対する解錠許可を設定する解錠許可設定手段とを備え、前記貸出処理機は、前記紙幣を収納するとともに、収納紙幣を外部へ取り出し可能な開放状態に変更自在に構成される紙幣収納ユニットと、前記紙幣収納ユニットを、収納紙幣を外部へ取り出し不可能な閉止状態にロックするロック機構部と、前記管理装置によって解錠許可設定を受けていることを条件に、外部より入力される解錠指示信号に対応して、前記ロック機構部の解錠をおこなう解錠制御手段と、を備えるので、島全体ではなく、所定の貸出処理機のみを設定して解錠をおこなえることからセキュリティ（安全性）の向上を図れるうえ、管理装置による解錠許可設定を条件に解錠が可能となるため、解錠の管理を厳正におこなえるという効果を奏する。
【００９８】
また、本発明によれば、前記複数の貸出処理機のうち、いずれかの貸出処理機に解錠指示信号が入力されると、当該貸出処理機と同一のグループに設定される全ての貸出処理機の解錠制御手段に対して、解錠指令を与えるグループ解錠制御手段を備えるので、島全体ではなく、所定の貸出処理機のみを設定して解錠をおこなえることからセキュリティ（安全性）の向上を図れるうえ、管理装置による解錠許可設定を条件に解錠が可能となるため、解錠の管理を厳正におこなえるという効果を奏する。また、１台の解錠指示信号を入力するだけで、グループ内の他の貸出処理機に対する解錠も同時におこなえることから操作性の向上を図れるという効果を奏する。
【００９９】
また、本発明によれば、前記貸出処理機に対して、前記解錠指示信号を出力する無線式の遠隔操作装置を備えるので、島全体ではなく、所定の貸出処理機のみを設定して解錠をおこなえることからセキュリティ（安全性）の向上を図れるうえ、管理装置による解錠許可設定を条件に解錠が可能となるため、解錠の管理を厳正におこなえるという効果を奏する。また、１台の解錠指示信号を入力するだけで、グループ内の他の貸出処理機に対する解錠も同時におこなえることから操作性の向上を図れるという効果を奏する。さらに、解錠の対象となる貸出処理機の前に立って、解錠操作をおこなえるため、確実に対象となる貸出処理機に対する解錠ができるうえ、セキュリティ（安全性）の向上を図ることができるという効果を奏する。
【０１００】
また、本発明によれば、前記紙幣収納ユニットは、内部に収納される紙幣の有無を検知する紙幣有無検知手段を備え、前記グループ解錠制御手段は、前記複数の貸出処理機のうち、いずれかの貸出処理機に解錠指示信号が入力されると、当該貸出処理機と同一のグループに設定される貸出処理機の中で、前記紙幣有無検知手段により、紙幣収納ユニット内に紙幣が有ると判定される貸出の解錠制御手段に対して、解錠指令を与えるので、紙幣収納ユニット内に紙幣の有る貸出処理機を限定した解錠をおこなえるため、紙幣の回収効率の向上を図ることができるという効果を奏する。また、島全体ではなく、所定の貸出処理機のみを設定して解錠をおこなえることからセキュリティ（安全性）の向上を図れるうえ、管理装置による解錠許可設定を条件に解錠が可能となるため、解錠の管理を厳正におこなえるという効果を奏する。また、１台の解錠指示信号を入力するだけで、グループ内の他の貸出処理機に対する解錠も同時におこなえることから操作性の向上を図れるという効果を奏する。
【０１０１】
また、本発明によれば、前記管理装置は、前記解錠許可設定手段により、前記貸出機に対して解錠許可信号を通知した任意のグループから通知される解錠時の解錠完了信号を取得することにより、該当する解錠の完了を判定する解錠完了判定手段をさらに備えるので、さらに、セキュリティの観点から有効であるという効果を奏する。
【０１０２】
また、本発明によれば、前記グループ区分設定手段によるグループ区分は、遊技店内で互いに近接する遊技機を対象としておこなわれるとともに、当該遊技機の台番号に基づいておこなわれるので、さらに、一斉解錠の対象となる任意のグループ（複数の玉貸出処理機）をパチンコ機の台番号に基づいて設定できることから、この台番号別にグループ分けされた玉貸出処理機に対する解錠を確実且つ容易におこなうことができるという効果を奏する。
【０１０３】
また、本発明によれば、前記グループ区分設定手段によるグループ区分は、遊技機の機種に基づいて設定されるので、さらに、一斉解錠の対象となる任意のグループ（複数の玉貸出処理機）をパチンコ機の機種に基づいて設定できることから、この機種別にグループ分けされた玉貸出処理機に対する解錠を確実且つ容易におこなうことができるという効果を奏する。
【０１０４】
また、本発明によれば、前記グループ区分設定手段によるグループ区分は、貸出処理機の売上情報に基づいて設定されるので、さらに、一斉解錠の対象となる任意のグループ（複数の玉貸出処理機）を、これら各玉貸出処理機の売上情報（売上順位）に基づいて設定できることから、紙幣収納部に収納された紙幣がより多く収納されている玉貸出処理機を優先して解錠することができ、これにより、回収作業効率の向上を実現できるという効果を奏する。
【図面の簡単な説明】
【図１】本発明の実施の形態１に係る遊技媒体貸出システムの概要を示す説明図である。
【図２】本発明の実施の形態１に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸出処理機およびパチンコ機の外観正面図である。
【図６】図５に示した玉貸出処理機を示す側面図である。
【図７】図５に示した玉貸出処理機と枠体との分離状態を示す図である。
【図８】本実施の形態に係る玉貸出処理機の概略構成を示す機能ブロック図である。
【図９】玉貸出処理機におけるＢＶユニット部の解錠動作を示す概略説明図である。
【図１０】玉貸出処理機におけるＢＶユニット部の解錠動作を示す斜視図である。
【図１１】（ａ）は、ＢＶロック機構部のロック状態を、（ｂ）は、ロック解錠状態をそれぞれ示す説明概略図である。
【図１２】（ａ）は、管理者用のリモコン、（ｂ）は、一般係員用のリモコンの外観構成をそれぞれ示す外観図である。
【図１３】実施の形態における遊技媒体貸出システムの基本処理手順を示すフローチャートである。
【図１４】実施の形態における遊技媒体貸出システムの全体処理手順を示すフローチャートである。
【図１５】（ａ）は、売上情報記憶テーブルの構成を、（ｂ）は、管理サーバデータベースの構成をそれぞれ示す図である。
【図１６】管理サーバのモニタによるメニュー画面を示す図である。
【図１７】（ａ）は、紙幣回収グループ設定画面の初期画面を、（ｂ）は、紙幣回収グループ設定画面による設定状態をそれぞれ示す図である。
【図１８】解錠許可グループ設定画面による設定例を示す図である。
【符号の説明】
１０  パチンコ機
１５  紙幣挿入口
２０  玉貸出処理機
２２  表示ランプ
２３  表示部
２４  リモコン用受光部
２５、２１５  制御部
２６、１３０、２２０  通信Ｉ／Ｆ
２７、３２  メモリ
３０  枠体
３１  ジョイント基板
２８、３３  売上情報記憶テーブル
５０  ＢＶユニット部
５１  紙幣収納部
５２  紙幣識別部
５３  ＢＶロック機構部
６０  ソレノイド
６１  ロックレバー
６２  鉤部
７０  玉貸制御部
７１  押圧板ばね
７２  係合ピン７２
７４  スライドレール
７５  アンカー板
８０  電源部
１００  中央管理装置
１１０  中央管理制御部
１１５、２１６  表示部
１２０  遊技店管理データベース
２００  管理サーバ
２１０  管理サーバデータベース
２１７  入力部
２３０  グループ区分設定部
２３１  解錠許可設定部
２３２  解錠完了判定部
２１５  制御部
３００  中継器
４００  メニュー画面
４１０  紙幣回収グループ設定画面
４２０  台番号表示欄
４３０  グループ別設定欄
４４０  解錠許可グループ入力画面
５００  Enterキー
【図１】
0004708689.tif 000002
【図２】
0004708689.tif 000003
【図３】
0004708689.tif 000004
【図４】
0004708689.tif 000005
【図５】
0004708689.tif 000006
【図６】
0004708689.tif 000007
【図７】
0004708689.tif 000008
【図８】
0004708689.tif 000009
【図９】
0004708689.tif 000010
【図１０】
0004708689.tif 000011
【図１１】
0004708689.tif 000012
【図１２】
0004708689.tif 000013
【図１３】
0004708689.tif 000014
【図１４】
0004708689.tif 000015
【図１５】
0004708689.tif 000016
【図１６】
0004708689.tif 000017
【図１７】
0004708689.tif 000018
【図１８】
0004708689.tif 000019